(57)【要約】【課題】  この発明は、新規リリースされる楽曲が利用できるか否かをユーザに知らせてユーザの利便性を高めたカラオケ用リモコン装置を提供することを目的とする。【解決手段】  この発明は、検索キーとして文字を入力するためタッチパネルで構成される操作入力部と、検索キーワードや検索結果を表示するディスプレイと、検索用の楽曲データベースに基づき楽曲の検索を行う検索手段とを備えたカラオケ用リモコン装置であって、前記楽曲データベースに少なくとも新譜、追加曲、配信日の新規リリース情報が記述され、前記検索手段で新譜、追加曲の情報を検出すると、新規リリース曲を新譜、追加曲と区別して表示するとともに、配信日を経過しているときに、未配信の新譜がある場合に追加曲へ変更する。【選択図】  図２２
2005300934.tif 000002
【特許請求の範囲】
【請求項１】
検索キーとして文字を入力するためタッチパネルで構成される操作入力部と、検索キーワードや検索結果を表示するディスプレイと、検索用の楽曲データベースに基づき楽曲の検索を行う検索手段とを備えたカラオケ用リモコン装置であって、前記楽曲データベースに少なくとも新譜、追加曲、配信日の新規リリース情報が記述され、前記検索手段で新譜、追加曲の情報を検出すると、新規リリース曲を新譜、追加曲と区別して表示することを特徴とするカラオケ用リモコン装置。
【請求項２】
配信日と現在日付を比較する日付比較手段と、楽曲データの配信を確認する手段を備え、前記楽曲データベースに新規リリース情報が付属している場合、日付比較手段で配信日を経過していると判断した場合に、前記配信確認手段で配信状態を確認し、未配信の新譜がある場合に追加曲へ変更することを特徴とする請求項１に記載のカラオケ用リモコン装置。
【発明の詳細な説明】
【技術分野】
【０００１】
この発明は、カラオケ演奏装置にリクエスト曲を入力するためのカラオケ用リモコン装置に関し、とくに多数の楽曲の目次機能を備えたカラオケ用リモコン装置に関する。
【背景技術】
【０００２】
カラオケ演奏装置に曲のリクエストを予約する場合、ユーザは、冊子形態の歌本を手に取ってページをめくりながら五十音順に記載された曲名リストあるいは歌手名リストなどから歌いたいリクエスト曲の名称を探し出す。次に、リモコンを手に取り、この名称の近傍に記載された予約番号を見ながらリモコンのボタンを押して入力し、ここからカラオケ演奏装置に向けてこの予約番号を含む選曲信号を送出する。
【０００３】
選曲信号を受けたカラオケ演奏装置は、これに含まれる予約番号に基づいて該当する伴奏音楽や歌詞画像を含めた映像を再生してスピーカおよびディスプレイから出力する。
【０００４】
前述したような選曲手順にあっては、まず、歌本のページをめくりながら、リクエスト曲を探すので面倒であるとともに、歌本の予約番号を見ながらリモコンのボタンを押して入力していくため非常に面倒である。
【０００５】
そこで、カラオケ用リモコン装置に目次機能を備え、曲の検索と選曲を行う装置が提案されている（例えば、特許文献１参照）。また、この特許文献１には、利用開始前の楽曲の利用開始日を提示し、ユーザにその楽曲を歌えるか否か確認させることができるようにした装置が提案されている。
【０００６】
曲の検索と選曲を行うことができるカラオケ用リモコン装置は、検索キーとしてのかな文字や数字を入力するためのキーボードやタッチパネルなどの操作入力部と、検索キーワードや検索結果を表示するディスプレイと、検索用の楽曲データベースと、リクエスト曲の検索機能を備え、所望の曲を検索キーワードに基づいて検索し、選択した曲をリモコン装置でリクエスト予約するものである。
【特許文献１】特開平２００３−１６７５９０号公報
【発明の開示】
【発明が解決しようとする課題】
【０００７】
上記した特許文献１に記載されたカラオケ用リモコン装置においては、利用開始日を基準として、楽曲の利用が可能かは表示している。しかしながら、利用開始日を過ぎても楽曲がまだ配信されていない場合がある。このような場合、ユーザが楽曲選択しても楽曲の演奏はできないという問題があった。
【０００８】
また、新規リリースされる楽曲には新譜と過去に発売された追加曲とがある新規リリースの曲を全て新譜として扱うと追加曲も混在し、新譜を探すユーザにとっては煩わしいという難点もあった。
【０００９】
この発明は、上記した従来の問題点に鑑みなされたものにして、新規リリースされる楽曲が利用できるか否かをユーザに知らせてユーザの利便性を高めたカラオケ用リモコン装置を提供することを目的とする。
【課題を解決するための手段】
【００１０】
この発明は、検索キーとして文字を入力するためタッチパネルで構成される操作入力部と、検索キーワードや検索結果を表示するディスプレイと、検索用の楽曲データベースに基づき楽曲の検索を行う検索手段とを備えたカラオケ用リモコン装置であって、前記楽曲データベースに少なくとも新譜、追加曲、配信日の新規リリース情報が記述され、前記検索手段で新譜、追加曲の情報を検出すると、新規リリース曲を新譜、追加曲と区別して表示することを特徴とする。
【００１１】
また、この発明は、配信日と現在日付を比較する日付比較手段と、楽曲データの配信を確認する手段を備え、前記楽曲データベースに新規リリース情報が付属している場合、日付比較手段で配信日を経過していると判断した場合に、前記配信確認手段で配信状態を確認し、未配信の新譜がある場合に追加曲へ変更することを特徴とする。
【発明の効果】
【００１２】
以上説明したように、この発明のカラオケ用リモコン装置によれば、新規リリースされる曲が、しんぷであるか追加曲であるか直ちに判断でき、新譜に興味があるユーザの選択を容易にすることができる。また、配信日までに配信されない新譜は新譜曲として扱わないことにより、新譜としてまだ利用できないとユーザが錯覚することが防げる。
【発明を実施するための最良の形態】
【００１３】
以下、この発明の実施の形態につき、図面を参照して説明する。図１にカラオケ演奏システムの概略構成を示す。
【００１４】
図１に示すように、この発明のカラオケ用リモコン装置２００を用いたカラオケ演奏システム１００は、通信カラオケ演奏端末装置３００と、ホストのサーバ装置４００とによって構成される。カラオケ演奏端末装置３００とカラオケ用リモコン装置２００とは、この実施形態においては、ブルートゥース（Bluetooth）を用いて送受信が行われる。また、カラオケ演奏端末装置３００とサーバ装置４００とは公衆通信網を介して、カラオケ楽曲データ等の送受信が行われる。
【００１５】
図２は、上記カラオケ演奏システム１００の構成を示すブロック図である。この図２に従いカラオケ演奏システム１００の概略構成につき説明する。
【００１６】
通信カラオケ演奏端末３００は、ＣＰＵ・ＲＡＭ・ＲＯＭ等を含んで構成されるコンピュータである中央処理装置３１１、ハードディスク装置（ＨＤＤ）３１３、映像制御装置３１７およびディスプレイ３１９、カラオケ伴奏音楽とマイク３２１からの音声入力を合成出力する音声制御装置３２３とこれに接続するスピーカ３２５、操作パネル・表示パネルによって構成される操作部３３１、検索用の楽曲データベースが読み込まれ格納されているインデックスＲＡＭ３２７、ブルートゥース（Bluetooth）による双方向通信が可能なブルートゥース（Bluetooth）インタフェース３２９、公衆通信回線網を介してホスト装置４００と接続する通信制御装置３３３などを含んで構成される。
【００１７】
ハードディスク装置３１３には、伴奏音楽データおよび歌詞描出データからなるカラオケデータが楽曲コード別に整理された、楽曲データベースＤｇ、検索用の楽曲データベースとして、楽曲コード・タイトル名・ジャンル名・歌手名などの目次情報からなる曲検索用データベースＩＣＭが格納されている。通信カラオケ演奏端末装置３００は、ホスト装置４００から送られてくる新譜のカラオケデータを受信して、これを適宜楽曲データベースＤｇ及び検索用の楽曲データベースＩＣＭに追記する。この検索用の楽曲データベースＩＣＭは、ハードディスク装置３１３より読み出され、インデックスＲＡＭ３２７に展開される。
【００１８】
通信カラオケ演奏端末装置３００は、操作部３３１、ブルートゥースインタフェース３２９から伝達されてくるリクエスト曲の楽曲コードを受け付けて、この楽曲コードに対応するカラオケデータを楽曲データベースＤｇから読み出し、このカラオケデータに基づいてカラオケ伴奏音楽をスピーカ３２５に出力するとともにこれに同期させた歌詞映像や背景映像をディスプレイ３１９に出力する。
【００１９】
カラオケ用リモコン装置２００の本体は、厚めのパネル状であり、サイズはパネルを縦長にしたとき、両手を軽く開いた状態で持てる程度である。また、パネル前面には、液晶ディスプレイ（ＬＣＤ）２０１が配設されており、このＬＣＤ２０１の表面にはタッチパネル２０２が積層されている。そして、このカラオケ用リモコン装置２００は、ユーザが持ったときに両手の指（例えば、親指）が、後述するインデックス検索時におけるボタンキーが押下し易い大きさに形成されている。
【００２０】
カラオケ用リモコン装置２００の上端面にはブルートゥース送信部が配設されている。この実施形態のカラオケ用リモコン装置２００の構成はＰＤＡなどのコンピュータと基本的には同じである。
【００２１】
ＲＡＭ２０６には、ブルートゥースインタフェース２０７よりカラオケ演奏端末装置３００から送信されたカラオケ演奏端末装置３００にて利用可能なカラオケ楽曲について、曲名・歌手名・歌詞の歌い出し部分などの属性情報が楽曲番号に対応付けされて格納され、楽曲索引データベースが構築されている。なお、このＲＡＭ２０６は、ブルートゥース送受信により、検索対象となったデータに基づき、逐次書き換えられる。
【００２２】
ＣＰＵ・ＲＡＭ・ＲＯＭからなるを含んで構成される中央制御部２０５は、タッチパネル２０２からの操作入力情報を操作制御部２０４を介して受け取ると、内部のＲＯＭに用意されている画像データや、この画像データに操作入力情報に応じた処理結果を反映させた画像データをビデオＲＡＭにビットマップ展開するとともに、ＬＣＤドライバ２０３を制御してこのビットマップ画像をＬＣＤ２０１に表示出力させる。
【００２３】
このカラオケ用リモコン装置２００は、ユーザにＧＵＩ（グラフィカルユーザインターフェース）環境を提供している。そして、中央制御部２０５がユーザによる対話を通じて検索用の楽曲データベースを検索し、その検索結果を表示出力させることで、歌本の目次機能を実現している。
【００２４】
中央制御部２０５は、歌本の目次機能によって最終的に１つのカラオケ楽曲を提示した状態で、その楽曲を演奏予約する旨のユーザの入力があれば、該当の楽曲番号を含んだコードを生成し、そのコードをブルートゥースインターフェース２０７に送る。ブルートゥースインターフェース２０７は、このコードの変調信号をカラオケ演奏端末装置３００に演奏予約のための無線信号として送信させる。
【００２５】
また、中央制御部２０５内のＲＯＭには、カラオケ演奏装置に付属の従来のリモコン装置が発信する各種リモコン信号のコードが記憶されており、中央制御部２０５は、ＧＵＩを通じてカラオケ演奏装置を操作する旨のユーザ入力があったことを認知すると、該当するコードを含んだリモコン信号を発信させる。
【００２６】
この発明のカラオケ用リモコン装置２００は、ユーザとの間の対話処理により任意のリクエスト曲を検索し、そのリクエスト曲の楽曲コードを通信カラオケ演奏端末装置３００に伝達する楽曲検索システムである。つぎ、このカラオケ用リモコン装置２００の動作に付き、図面を参照して説明する。
【００２７】
カラオケ用リモコン装置２００の電源をオンすると、図３に示す起動画面が表示され、引き続き、図４に示すトップメニュー画面２２０が表示される。トップメニュー画面に２２０には、このカラオケ用リモコン装置２００に実装されている各種検索モードや各種機能を起動するメニューボタン２２１〜２２６、カラオケ演奏装置を操作するための各種コマンドボタン２２７が配設されている。
【００２８】
図５は、トップメニュー画面２２０に配設された各ボタンを指示した時に呼び出される機能を示すフローチャートである。タッチパネル２０２がオンされる（ステップＳ１）と、トップメニュー画面２２０が表示され、各ボタン２２１〜２２７による指示を待つ。インデックス検索ボタン２２１が押されると、インデックス検索処理モードにはいる（ステップＳ３、Ｓ４）。インデックス検索処理モードは、歌本による曲検索と同じ感覚でリクエスト曲の検索が行える操作であり、歌本に付けられている５０音またはアルファベット別のインデックスを見て検索するのと同様の感覚でユーザがリクエスト曲の検索が行えるように処理し、ユーザが演奏予約したい曲を特定し、その楽曲を演奏予約する旨の操作入力に従って該当する楽曲コードを含んだリモコン信号を送出する。
【００２９】
インデックスワールド検索ボタン２２１が押されると、ワールドインデックス検索処理モードにはいる（ステップＳ５、Ｓ６）。ワールドインデックス検索処理モードは、インデックス検索処理と同様に検索が行われるが、このモードでの検索は、外国曲を対象としての検索が行われる。
【００３０】
キーワード検索ボタン２２３が押されると、キーワード検索処理モードにはいる（ステップＳ７、Ｓ８）。キーワード検索処理モードは、新譜、歌手名、ジャンルなどのキーワードに対応して歌本による曲検索と同じ感覚でリクエスト曲の検索が行える操作であり、ユーザが演奏予約したい曲を特定し、その楽曲を演奏予約する旨の操作入力に従って該当する楽曲コードを含んだリモコン信号を送出する。
【００３１】
お楽しみボタン２２５が押されると、お楽しみ処理モードにはいる（ステップＳ９、Ｓ１０）。お楽しみ処理モードは、ゲーム、ニュース、カラオケ履歴などをカラオケ演奏端末装置３００に表示させる操作であり、ユーザが指定した操作入力に従ってカラオケ演奏端末装置３００に表示させるためのコードを含んだリモコン信号を送出する。
【００３２】
操作説明ボタン２２６が押されると、操作説明処理モードにはいる（ステップＳ１１、Ｓ１２）。操作説明処理モードは、このリモコン装置における各ボタンなどの説明、使用方法などをＬＣＤ２０１に表示させ、ユーザに対して各種機能の理解の手助けを行う。
【００３３】
リモコンボタン２２４が押されると、リモコン処理モードにはいる（ステップＳ１３、Ｓ１４）。リモコン処理モードは、通常のリモコン動作を行うもので、リクエスト予約に必要な曲番号を入力する操作であり、ユーザが演奏予約したい曲を特定し、その楽曲を演奏予約する旨の操作入力に従って該当する楽曲コードを含んだリモコン信号を送出する。
【００３４】
コマンドボタン２２７が押されると、コマンド操作処理モードに入り（ステップＳ１５，Ｓ１６）、カラオケ演奏装置を操作するための各種コマンド実行させるための信号を送出する。
【００３５】
次に、このカラオケ用リモコン装置２００の各種モードの具体例につき説明する。まず、操作説明処理モードを説明する。
【００３６】
操作説明ボタン２２６が押されると、図６に示す画面にＬＣＤ２０１は切り替わる。この図６に示すものは、日本語による操作説明を示し、図７は、英語による操作説明を示す。操作説明は、そのほか韓国語、中国語のものを用意している。各言語の切り替えは、言語ボタン２３０〜２３３を押すことにより行うことができる。言語ボタン２３１を押すと、英語の説明である図７に示す画面に切り替わる。尚、図示はしていないが、言語ボタン２３２を押すとハングル文字による説明の画面、言語ボタン２３３を押すと中国語による説明の画面に切り替わる。ボタン２３４を押すとトップメニュー画面２２０に切り替わる。
【００３７】
操作の説明は、インデックス、タブと、バーとページ送りボタンについて表示されている。インデックスは、インデックス検索の際に用いられる歌本と同様にあ〜ん（ａからｚ）までのインデックス検索キーで構成され、この検索キーで歌手名もしくは曲名の頭文字を選択する。また、タブキーは、このキーを押すことにより検索したい項目へ移動する。バーは、このバーをタッチするとページが移動する。
【００３８】
この実施形態では、バー全体のジャンプしたい位置をタッチすると、バー全体を２０分割した割合の位置にジャンプするように構成している。次ページキーを押すと、次ページに代わり、長く押すと早送りされる。前ページキーを押すと、１ページ前のページに代わり、長く押すと巻き戻しされる。
【００３９】
この実施形態においては、検索のためのデータ構成は、基本はあいうえお順の検索データベースを利用している。１文字目が選択されたとき、その文字の二文字目５０音分の曲数または歌手数（つまり、「あ」を選択したときは「ああ」の曲数または歌手数、「あい」の曲数または歌手数「あん」の曲数または歌集数）を取得して、１ページに表示するものを決定している。この実施形態においては、１ページで表示できる曲名または歌手名は１１曲である。ページを移動時にページの先頭の曲は先頭から何曲目であることから、２文字目が何かを計算することができる。例えば、「ああ」が１０曲、「あい」が２０曲あるとして、１ページに１１曲表示する場合、２ページ目は２２曲目にあたるので、２２―１０＝１２、１２―２０＝―８でマイナスになったところの「あい」が表示すべき文字となる。
【００４０】
次に、インデックス検索につき説明する。インデックス検索ボタン２２１が押されると、リモコンのＬＣＤ２０１には、インデックス検索画面に切り替わる。図８は、インデックス検索画面の曲名での検索画面、図９は、インデックス検索画面の歌手名での検索画面、図１０は、インデックス検索画面の新譜での検索画面である。タブ２３６を押すことにより、新譜、歌手名、デュエットに切り替ることができる。
【００４１】
インデックスは、インデックス検索の際に用いられる歌本と同様にあ〜ん（ａからｚ）までのインデックス検索キー２４０で構成され、左右に入力用キーボタンが配置されている。この実施形態においては、左側に「あ」から「の」まで、右側に「は」から「ん」まで配置される。そして、上下の入力用キーボタンは左右方向に若干ずれて配置されている。これは、左右に若干ずらすことで、キーの大きさを大きくしてキーを押しやすくするとともに、キーの押し間違いが少なくなるように考慮したからである。また、このカラオケ用リモコン装置２００は、ユーザが持ったときに両手の指（例えば、親指）が、インデックス検索キー２４０のボタンが押下し易ような位置に配置されている。そして、例えば「あ」のキーを押すと、「あ」の頭文字ある楽曲または歌手が選択されて表示される。この実施形態においては、図８乃至図１０に示すように、１ページの一覧画面２３５に表示できる曲名または歌手名は１１曲としている。
【００４２】
この頭文字を入力し、検索する方法につき説明する。この実施形態では、カラオケ演奏端末装置３００とカラオケ用リモコン装置２００とは、ブルートゥース（Bluetooth）を用いて送受信が行われ、ブルートゥースインタフェース２０７よりカラオケ演奏端末装置３００から送信されたカラオケ演奏装置にて利用可能なカラオケ楽曲について、曲名・歌手名・歌詞の歌い出し部分などの属性情報が楽曲番号に対応付けされて格納される。
【００４３】
曲名検索を例に取り、図１１及び図１２に従い説明する。図１１は、カラオケ用リモコン装置２００の曲名検索の動作を示すフローチャート、図１２は、カラオケ演奏端末装置３００の曲名検索の動作を示すフローチャートである。
【００４４】
タッチパネル２０２が押されると（ステップＳ2０）、押された位置のＸ、Ｙ座標を取得する（ステップＳ２１）。取得した座標位置が有効エリアか否か判断され（ステップＳ2２）、有効エリアでない場合には、最初のステップＳ2０に戻り、有効エリアが押されるまで前述の動作を繰り返す。そして、有効エリアが押されると、有効エリアの位置から５０音の文字を特定する（ステップＳ2３）。そして、特定された文字がユーザに分かるように、表示の色を変える（ステップＳ２４）。図９の例では「あ」が押されたと特定し、「あ」の色を他のキーの色とは変える。
【００４５】
そして、ＲＡＭ２０６内に問い合わせをし、予定のデータ例えば、「あ」に関するデータが既に格納されているか否か調べる（ステップＳ２５）。ブルートゥースインタフェース２０７を介して通信カラオケ演奏端末装置３００から送信された曲名・歌手名・歌詞の歌い出し部分などの属性情報が楽曲番号に対応付けされて格納された検索用楽曲データベースがＲＡＭ２０６にある場合には、ステップＳ２９に進み、ない場合には通信カラオケ演奏端末装置３００に曲名等のデータを問い合わせ、該当のデータを得る動作を行うために、特定された文字の曲名を端末装置３００に問い合わせる（ステップＳ２６）。そして、通信カラオケ演奏端末装置３００から返答があるまで待機し（ステップＳ２７）、返答があると、通信カラオケ演奏端末装置３００より取得したデータをＲＡＭ２０６にセットする（ステップＳ２８）。その後、楽曲名、歌手名などのリストを作成し、ＬＣＤ２０１に表示させる（ステップＳ２９）。
【００４６】
カラオケ演奏端末装置３００へカラオケ用リモコン装置２００からの曲名問い合わせがあったときのカラオケ演奏端末装置３００の動作に付き、図１２ないし図１５に従い説明する。
【００４７】
カラオケ演奏端末装置３００のハードディスク装置３１３には、上述したように、検索用の楽曲インデックスデータとして、曲ＩＤ・タイトル名・ジャンル名・歌手名などの目次情報が楽曲ＩＤをキーとして格納されている楽曲検索用データベースＩＣＭが格納されている。
【００４８】
この検索用の楽曲データベースＩＣＭは、例えば、図１３ないし図１５に示すように構成されている。データベースは、図１３に示す曲名ソートデータベース、図１４に示す曲名データベース、図１５に示す歌手名データベースで構成されている。これらデータベースをカラオケ用リモコン装置２００からの曲名問い合わせ等により、ブルートゥースインタフェース３２９からカラオケ用リモコン装置２００にデータを送りブルートゥースインタフェース２０７を経てデータがＲＡＭ２０６に格納されるのである。
【００４９】
カラオケ用リモコン装置２００からの曲名問い合わせがあると、カラオケ演奏端末装置３００は、ハードディスク装置３１３に格納されている曲名ソートデータベースより問い合わせ文字の検索を開始する（ステップＳ３０）。そして、検索された結果の曲番号を取り出し（ステップＳ３１）、曲番号から曲名データベース内の歌手番号、曲名（タイトル）、曲情報を取得し（ステップＳ３２）、検索用インデックスＲＡＭ３２７の返送用メモリ領域に曲名（タイトル）、曲情報をセットする（ステップＳ３３）。そして、歌手名番号から歌手名データベース内の歌手名を取得し（ステップＳ３４）、検索用インデックスＲＡＭ３２７の返送用メモリ領域に歌手名をセットする（ステップＳ３５）。その後、問い合わせ件数分メモリにセットが終わったか否か判断され（ステップＳ３６）、終了していない場合には曲名ソートデータベースより次の曲番号を取得し（ステップＳ３７）、ステップＳ32に戻り、終了するまで上記の動作を繰り返す。そして、問い合わせ件数分のセットが終わると、検索用インデックスＲＡＭ３２７の返送用メモリ領域にあるデータをブルートゥースインタフェース３２９からカラオケ用リモコン装置２００にデータを送出して（ステップＳ３８）、動作を終了する。
【００５０】
尚、この実施形態では、上記動作での楽曲名のソートは、曲名ソートデータベースのみートのキーワードは楽曲の読み（半角カタカナ）を検索文字列コードとして使用してソーる。
【００５１】
上記のようにして、インデックス検索キー２４０の「あ」のキーをユーザが押すと、「文字ある楽曲が選択され、図８に示すように、１ページの一覧画面２３５に表示できる曲１１の曲名とそれに対応する歌手名が表示される。また、この時、ユーザが「あ」ではな」の頭文字の曲に選択し直す場合には、従来では、トップ画面に戻って操作をやり直してこの実施形態では、図８に示した状態からインデックス検索キー２４０の「い」のキーを押すことで、「い」の頭文字ある楽曲が選択され、「い」で検索された曲名とそれに対応名が表示される。このように、ユーザは歌本のインデックスを指でめくってそのページをな感覚でインデックス検索キー２４０を押して該当する頭文字の楽曲をＬＣＤ２０１に表ことができる。
【００５２】
ところで、１ページの一覧画面２３５に表示できる曲名とそれに対応する歌手名は、１るので、検索した楽曲が１１曲以内であれば１つの画面内に全て表示されるが、１１曲以合には、複数ページに分けて表示する。
【００５３】
この複数ページに分けて表示する場合の基本はあいうえお順の検索データベースを利用ている。１文字目が選択されたとき、その文字の二文字目５０音分の曲数（つまり、「あしたときは「ああ」の曲数、「あい」の曲数・・・「あん」の曲数）を取得する。そしてを移動時にページの先頭の曲は先頭から何曲目であることから、２文字目が何かを計算し例えば、「ああ」が１０曲、「あい」が２０曲あるとして、１ページに１１曲表示する場ージ目は２２曲目にあたるので、２２―１０＝１２、１２―２０＝―８でマイナスになっの「あい」が表示すべき文字として表示する。
【００５４】
今、「あ」で検索した結果が１００ページになったとすると、ＬＣＤ２０１の表示部２当する総ページ数と今表示されているページ数を１／１００などで表示する。
【００５５】
ページ送りする場合には、前ページボタン２４２、次ページボタン２４３を押すことにっても良いが、１ページ毎にページボタン２４２または２４３を押してページの表示の切行うとページ数が多い場合には、ボタンを何度も押す必要があり、ユーザとしては煩わしで、この実施形態では、スクロールバー２４１の表示を行い、総ページの真ん中の方か後などユーザが思うところに選択表示バー２４１ａをタッチして動かすことにより、該当すの部分までジャンプするように構成している。
【００５６】
更に、この実施形態では、前ページキーボタン２４２または次ページキーボタン２４３することで、高速で巻き戻しや早送りでページ送りができるように構成して検索作業を容いる。
【００５７】
以下、検索候補を更新処理の簡素化につき説明する。図１６にインデックス検索時に表ページ送り機能のスクロールバー２４１及びページボタン部を示している。
【００５８】
表示部２４４は、現在リスト表示中の頭文字の１文字目を表示し、表示部２４５は、現表示中の頭文字の２文字を表示し、表示部２４６は現在リスト表示中の頭文字の次の５０字目を表示している。そして、スクロールバー２４１は固定的に表示し、対象楽曲全てをさとしている。選択表示バー２４１ａは、表示リスト数の対象楽曲の割合でバー全体の大表示幅を決定し、表示する。前ページキーボタン２４２は、このボタンを押すとリスト表ージ分前に戻し、次ページキーボタン２４３は、リスト表示を１ページ分後に送る。、前ーボタン２４２または次ページキーボタン２４３を長押しすることで、高速で巻き戻しやのページ送りができる。
【００５９】
前ページキーボタン２４２もしくは次ページキーボタン２４３を長く押すと、離すまでの間、選択表示バー２４１ａと表示部２４５とページ数表示が変更する。そして、離したところで離した個所のリストが表示される。表示部２４５には、今移動している２文字目の字が表示されているので、ユーザはこの表示部２４５を見て２文字目の確認が行える。
【００６０】
また、スクロールバー２４１のジャンプしたい位置までを選択表示バー２４１ａをタッチすると、スクロールバー２４１を２０分割した割合の位置にジャンプする。この２０分割は、例えば「あ」で検索し、次の２文字目、その文字の二文字目５０音分の曲数（つまり、「あ」を選択したときは「ああ」の曲数、「あい」の曲数・・・「あん」の曲数）を取得た全ての結果の楽曲数を対象として２０分割している。例えば、「ああ」が全体の５０％あるとすれば、スクロールバー２４１の半分までは「ああ」で、更にその「ああ」の中では、その文字の三文字目５０音分でソートされている。
【００６１】
また、１文字目の頭文字で検索した結果の総ページ数が２０ページを下回る場合には、スクロールバー２４１全体を総ページ数に対応して分割する。そして、スクロール表示バー２４１ａの幅も対応して太くなるように構成している。
【００６２】
次に、このスクロールバー２４１と前ページキーボタン２４２または次ページキーボタン２４３によるページ送り動作に付き図１７及び図１８に従い説明する。
【００６３】
タッチパネル２０２が押されるまで待機し（ステップＳ4１）、タッチパネル２０２が押されるとステップＳ５２に進む。ステップＳ５２では、押された位置が次ページキーボタン２４３か否か判断され（ステップＳ５２）、次ページキーボタン２４３である場合には、ステップＳ5３に進み、早送り動作のためのタイマ２の動作を開始し、早送り動作をセットし（ステップＳ５３）、ステップＳ4２に進む。
【００６４】
ステップＳ４２では、タッチパネル２０２を離したか否か判断され離すとステップＳ4８に進む。タッチパネル２０２を押したままであると、ステップＳ4３に進み、早送り（または巻き戻し）動作中であるか否か判断され、早送り（または巻き戻し）動作中の場合には、ステップＳ4４に進み、早送り（または巻き戻し）動作中でない場合には、ステップＳ4５に進む。タッチパネル２０２を押した直後は、早送り（または巻き戻し）動作中には入っていないので、ステップＳ４５で早送り（または巻き戻し）動作にはいるタイマ２の時間が経過したか否か判断する。この実施形態では、１秒以上ページキーボタン２４２または２４３を押しているときに早送り（または巻き戻し）動作に入るように構成している。タイマ２は１秒を経過していない時には、ステップＳ4２に戻り、前述の動作を繰り返す。
【００６５】
ステップＳ４５でタイマ２が１秒を経過すると、ステップＳ4６に進み、早送り（または巻き戻し）動作を開始すると共にタイマ１の動作を開始し、ステップＳ4２に戻る。
【００６６】
ステップＳ４３で早送り（または巻き戻し）動作中と判断されると、ステップＳ４４に進み、タイマ２が０．２秒経過したか否か判断する。この実施形態においては、０．２秒ごとに選択表示バー２４１ａと表示部２４５の表示を切り替えるようにしている。０．２秒経過するまではステップＳ4２に戻り、前述の動作を繰り返す。０．２秒経過すると、ステップＳ4７に進み、ステップＳ４７でページ表示を更新、選択表示バー２４１ａと表示部２４５の表示を変更する。また、タイマ１も初期化する。カラオケ用リモコン装置２００のＲＡＭ２０６内にデータがある場合にはページ表示を該当するページ数の表示を行うが、カラオケ演奏端末装置３００に問い合わせ中の場合には、ページをめくっているような表示を行う。そして、ステップＳ4２に戻る。
【００６７】
ステップＳ4２において、タッチパネル２０２から指等を離したと判断されると、ステップＳ4８に進む。ステップＳ4８において、早送り（または巻き戻し）動作中の場合には、ステップＳ４９に進み、ページ表示を更新、選択表示バー２４１ａと表示部２４５の表示を変更して動作を終了する。ステップＳ4８において、早送り（または巻き戻し）動作中でない即ち、１ページ毎のページ送り動作の場合には、ステップＳ５０に進み、ページカウンタ表示を更新、選択表示バー２４１ａと表示部２４５の表示を変更し、ステップＳ5１に進み、次ページまたは前ページのリストを表示してて動作を終了する。
【００６８】
ステップＳ５２では、押された位置が次ページキーボタン２４３か否か判断され（ステップＳ５２）、次ページキーボタン２４３でない場合には、ステップＳ5４に進み、ステップＳ5４で、押された位置が前ページキーボタン２４２か否か判断され、押された位置が前ページキーボタン２４２である場合には、ステップＳ5５に進み、巻き戻し動作のためのタイマ２の動作を開始し、巻き戻し動作をセットし、ステップＳ４２に進み、次ページキーボタンが押されたときと同様の動作が行われる。
【００６９】
一方、ステップＳ5６において、押された位置が前ページキーボタン２４２でない場合には、ステップＳ５６に進み、ステップＳ５６において、押された位置がスクロールバー２４１であるか否か判断され、スクロールバー２４１でない場合には、動作が終了する。スクロールバー２４１の場合には、ステップＳ5７に進み、ジャンプ位置を計算し、ステップＳ５７でページ表示を更新、選択表示バー２４１ａと表示部２４５の表示を変更して動作を終了する。
【００７０】
上記のようにして、ユーザが希望する楽曲が表示される画面になると、ユーザが楽曲を指定する。この楽曲の指定は、ユーザの希望する曲名が表示されている箇所を押す。ユーザが希望する曲名を表示している箇所のタッチパネル２０２を押すことにより、曲の詳細を示す画面に切り替わる。図１９は、曲詳細を示す画面である。例えば、図１９は、図の１番上の曲名のところを押した場合を例示している。曲詳細画面では、歌手名、曲名、外国の曲で邦題と原曲名が異なる場合には、原曲名が表示される。その他、カラオケの情報に必要な項目も表示される。そして、戻るキーを押すと図に示すインデックス検索画面に戻る。
【００７１】
そして、曲詳細画面で確認した楽曲を予約するために、予約の転送キーを押すと、図２０に示す予約完了画面となり、ユーザがその予約完了が確認するのに十分な時間だけ表示を行い、所定時間が経過すると、トップメニュー画面に戻る。
【００７２】
尚、上記したように、外国語楽曲で、邦題を有するものがある場合には、原題の表示もできるよう構成すると共に、予約曲確認では、原題で予約されたのか、邦題で予約されたのかを管理し、表示を行うようにすればよい。予約の際に曲面と同じ曲名、予約が原題であれば、原題の表示を、邦題であれば邦題を表示することで、ユーザは自分が予約した曲を間違いなく確認できる。例えば、原題は知っているが邦題を知らないユーザが原題で予約したのに、邦題で表示されれば自分の予約した曲とは判断できない場合がある。しかし、ユーザが予約の際に用いた題名で予約曲の表示ができれば、確実に予約の確認が行える。
【００７３】
上記した説明においては、曲名でインデックス検索を行う場合について説明したが、タブにより、歌手名、新譜、デュエットに切り替えて検索を行う場合も同様の処理が行われる。
【００７４】
尚、歌手名インデックス検索では、歌手名順に曲名でソートした検索データを生成して処理を行い、歌手名順に曲名でソートして表示されるので、楽曲選択が容易に行える。
【００７５】
新譜による検索を行う場合、新譜楽曲がまだ配信されていない場合がある。このような場合、配信日を表示するとユーザにとっては、いつ配信されるか分かるので便利である。また、既に配信されたものも配信日を表示すると、どの楽曲が最も最近配信されたか分かるので、楽曲選択する際の情報ともなる。このため、この実施形態においては、新譜楽曲の表示の際には、曲名と歌手名以外に配信日も表示するように構成している。
【００７６】
また、新しくリリース、配信される曲には、新譜と追加曲（過去に発売された曲）が存在する。そこで、図２１に示すように、新しくリリース、配信される曲が、新譜なのか、追加曲なのかを管理し、区別すると共に、配信日、演奏可能の有無を表示する。
【００７７】
このように構成することで、ユーザの利便性があがる。また、新譜曲において、配信登録される日付になっても、ホスト装置４００と通信用カラオケ演奏端末装置４００との間の通信状態の不具合などで登録されていない場合ある。このような曲については、新譜曲のまま表示すると、配信日が過ぎてユーザが新譜として歌いたいと思っても実際には楽曲演奏ができない。このようなときには、そのまま新譜で配信日の表示を行うのではなく、配信日が過ぎて登録できていない曲は、新譜から追加曲として標記を切り替え、追加されるまでしばらく待ってもらうように、ユーザに知らせるように構成している。そして、新譜で歌えるようになった場合は、演奏可能との表記を行うように構成する。追加曲ととして表示され、配信が完了した曲についても演奏可能と標記すれば、この楽曲が演奏可能か否かユーザが即座に判断できて便利である。
【００７８】
次に、新しくリリース、配信される曲の表示処理に付き、図２２に従い説明する。まず、新しくリリース、配信される曲の表示処理動作を行うと、楽曲の属性情報をデータベースから取得する（ステップＳ６１）。この情報は楽曲名、歌手名、新譜か追加曲の区別、配信開始日などである。取得した属性情報に配信開始日があるか否か判断する（ステップＳ６２）。配信開始日の情報がない場合には、動作を終了する。配信開始日の情報があると、ステップＳ６３に進み、新譜か追加曲の判断が行われる、新譜の場合には、ステップＳ6４に進み、追加曲の場合にはステップＳ6５に進む。ステップＳ６４では、新譜の表示、配信日、楽曲名、歌手名の表示を行うまた新譜自体を表示する表示項目がある場合にはその項目に、配信日、楽曲名、歌手名を表示し、ステップＳ６６に進む。
【００７９】
ステップＳ６５では、追加曲の表示、配信日、楽曲名、歌手名の表示を行うまた追加曲自体を表示する表示項目がある場合にはその項目に、配信日、楽曲名、歌手名を表示し、ステップＳ６６に進む。
【００８０】
ステップＳ６６においては、配信開始日に到達しているか否か、カラオケ用リモコン装置２００などに備えている現在時間をカウントする機能から得られた日付とを比較し、配信開始日に達していない場合には、ステップＳ６３に戻り、上記動作を繰り返す。
【００８１】
配信開始日に達すると、ステップＳ６７に進み、ステップＳ６７にて、当該楽曲の登録が完了しているか否か判断する。何かの事情でまだ配信登録が完了していない場合には、新譜の場合には、表示もしくは表示する項目を追加曲に変更し、そして、配信がまだの旨の表示を行い、ステップＳ6７に戻り、配信登録が完了するまで待機する。また、追加曲の場合には、配信がまだの旨の表示を行い、配信登録が完了するまで待機する。
【００８２】
配信登録が完了の場合には、演奏可能の表示を行って（ステップＳ６９）、動作を終了する。
【００８３】
上記した実施形態においては、日本語におけるカラオケ用リモコン装置の動作について説明しているが、英語、韓国、中国など外国語のタブを押すと、その外国語の言語に基づく、インデックス検索等を行う。例えば、英語の場合には、アルファベット順のソート、中国語の場合には、頭文字の漢字の画数でソートなどその言語に適した順でソート並びに表示を行うように制御すればよい。
【００８４】
尚、上記した実施形態においては、カラオケ演奏端末装置３００とカラオケ用リモコン装置２００とは、ブルートゥース（Bluetooth）を用いて送受信を行っているが、ＩｒＤＡなど他の無線ＬＡＮを用いて構成することもできる。
【図面の簡単な説明】
【００８５】
【図１】この発明の実施形態にかかるカラオケ演奏システムの概略構成を示す構成図である。
【図２】この発明の実施形態にかかるカラオケ演奏システムの構成を示すブロック図である。
【図３】この発明の実施形態にかかるカラオケ用リモコン装置の表示画面における起動画面を示す模式図である。
【図４】この発明の実施形態にかかるカラオケ用リモコン装置の表示画面におけるトップメニュー画面を示す模式図である。
【図５】この発明の実施形態にかかるカラオケ用リモコン装置のトップメニュー画面に配設された各ボタンを指示した時に呼び出される機能を示すフローチャートである。
【図６】この発明の実施形態にかかるカラオケ用リモコン装置の表示画面における日本語の操作説明画面を示す模式図である。
【図７】この発明の実施形態にかかるカラオケ用リモコン装置の表示画面における英語の操作説明画面を示す模式図である。
【図８】この発明の実施形態にかかるカラオケ用リモコン装置の表示画面におけるインデックス検索画面の曲名での検索画面を示す模式図である。
【図９】この発明の実施形態にかかるカラオケ用リモコン装置の表示画面におけるインデックス検索画面の歌手名での検索画面を示す模式図である。
【図１０】この発明の実施形態にかかるカラオケ用リモコン装置の表示画面におけるインデックス検索画面の新譜での検索画面を示す模式図である。
【図１１】この発明の実施形態にかかるカラオケ用リモコン装置の曲名検索の動作を示すフローチャートである。
【図１２】この発明におけるカラオケ演奏端末装置の曲名検索の動作を示すフローチャートである。
【図１３】この発明のカラオケ演奏端末装置において、検索用の楽曲データベースにおける曲名ソートデータベースの構成を示す図である。
【図１４】この発明のカラオケ演奏端末装置において、検索用の楽曲データベースにおける曲名データベースの構成を示す図である。
【図１５】の発明のカラオケ演奏端末装置において、検索用の楽曲データベースにおける歌手名データベースの構成を示す図である。
【図１６】この発明の実施形態にかかるカラオケ用リモコン装置のインデックス検索時に表示されるページ送り機能のスクロールバー及びページボタン部を示す模式図である。
【図１７】この発明の実施形態にかかるカラオケ用リモコン装置のインデックス検索時に表示されるページ送り機能の動作を説明するフローチャートである。
【図１８】この発明の実施形態にかかるカラオケ用リモコン装置のインデックス検索時に表示されるページ送り機能の動作を説明するフローチャートである。
【図１９】この発明の実施形態にかかるカラオケ用リモコン装置の表示画面における曲の詳細画面を示す模式図である。
【図２０】この発明の実施形態にかかるカラオケ用リモコン装置の表示画面における曲の予約画面を示す模式図である。
【図２１】この発明の実施形態にかかるカラオケ用リモコン装置の表示画面における新しくリリースされる曲の画面を示す模式図である。
【図２２】この発明の実施形態にかかるカラオケ用リモコン装置における新しくリリースされる曲の表示処理動作のフローチャートである。
【符号の説明】
【００８６】
１００  カラオケ演奏システム
２００  カラオケ用リモコン装置
３００  通信カラオケ演奏端末装置
４００  サーバ装置
２０１  液晶ディスプレイ（ＬＣＤ）
２０２  タッチパネル
２０３  ＬＣＤドライバ
２０４  操作制御部
２０５  中央制御部
２０６  ＲＡＭ
２０７  ブルートゥースインターフェース
【図１】
2005300934.tif 000003
【図２】
2005300934.tif 000004
【図３】
2005300934.tif 000005
【図４】
2005300934.tif 000006
【図５】
2005300934.tif 000007
【図６】
2005300934.tif 000008
【図７】
2005300934.tif 000009
【図８】
2005300934.tif 000010
【図９】
2005300934.tif 000011
【図１０】
2005300934.tif 000012
【図１１】
2005300934.tif 000013
【図１２】
2005300934.tif 000014
【図１３】
2005300934.tif 000015
【図１４】
2005300934.tif 000016
【図１５】
2005300934.tif 000017
【図１６】
2005300934.tif 000018
【図１７】
2005300934.tif 000019
【図１８】
2005300934.tif 000020
【図１９】
2005300934.tif 000021
【図２０】
2005300934.tif 000022
【図２１】
2005300934.tif 000023
【図２２】
2005300934.tif 000024